(57)【要約】【課題】加熱調理器の器体内の前部に設けられる収納ケース６に揺動自在に支持される可動枠５の上面に操作盤５４を固定した操作装置において、可動枠５を突出位置側に付勢する付勢手段たるねじりコイルバネのコイル部を収納ケースの下部前寄り部分に配置できなくても、可動枠を突出位置側に確実に付勢できるようにする。【解決手段】収納ケース６の上部又は下部に、横長の軸部９２で揺動自在に軸支されるレバー９１を備える。可動枠５に、レバー９１が当接する押圧部５６を設け、レバー９１の前方への揺動で可動枠５が押圧部５６を介して押されて没入位置から突出位置に揺動されるようにする。ねじりコイルバネ９のコイル部９１を軸部９２に外挿し、レバー９１をねじりコイルバネ９により前方に揺動するように付勢する。【選択図】図４
2017015378.tif 000002
【特許請求の範囲】
【請求項１】
加熱調理器の器体内の前部に設けられる収納ケースに、収納ケースの前端下部に設けられた支軸を支点にして、器体前面の前方に突出する突出位置と、収納ケースに収納される没入位置とに揺動自在に支持される可動枠を備え、可動枠の上面に操作盤を固定して、可動枠の突出位置への揺動で操作盤が器体前面の前方に露出するようにした加熱調理器用操作装置であって、可動枠を突出位置側に付勢する付勢手段と、可動枠を没入位置に係止すると共に可動枠を没入位置から押し操作することで係止を解除するプッシュプッシュ式の係止機構とを備えるものにおいて、
収納ケースの上部又は下部に、横長の軸部で揺動自在に軸支されるレバーを備え、可動枠に、レバーが当接する押圧部が設けられ、押圧部に対するレバーの当接箇所はレバーの揺動に伴いレバーの長手方向に変位自在であって、レバーの前方への揺動で可動枠が押圧部を介して押されて没入位置から突出位置に揺動されるようにし、
付勢手段は、レバーを軸支する軸部に外挿されるコイル部を有し、レバーを前方に揺動するように付勢するねじりコイルバネで構成されることを特徴とする加熱調理器用操作装置。
【発明の詳細な説明】
【技術分野】
【０００１】
本発明は、ガスコンロ等の加熱調理器の器体内の前部に設けられる収納ケースに、収納ケースの前端下部に設けられた支軸を支点にして、器体前面の前方に突出する突出位置と、収納ケースに収納される没入位置とに揺動自在に支持される可動枠を備え、可動枠の上面に操作盤を固定して、可動枠の突出位置への揺動で操作盤が器体前面の前方に露出するようにした加熱調理器用操作装置に関する。
【背景技術】
【０００２】
この種の操作装置において、可動枠は、一般的に、横方向両側の側板部と、操作盤を載置する上板部と、開閉自在な前板部とを有している。そして、収納ケースの下部の横方向一部の部分に前後方向に長手の電池ケースを設置し、可動枠の前板部を開いた状態で電池ケースに電池を出し入れできるようにしている。
【０００３】
また、従来、このような操作装置において、付勢手段を、収納ケースの下部前寄りで電池ケースの側方部分に位置するコイル部を有するねじりコイルバネで構成し、コイル部から延出される両端のアーム部を収納ケースの下部後寄り部分と可動枠の上板部後部とに係止したものも知られている（例えば、特許文献１参照）。このものでは、ねじりコイルバネのコイル部を横方向両側から挟むガイド板を収納ケースに設け、可動枠の出没動作中にコイル部が傾いて、ねじりコイルバネの両端のアーム部が収納ケースや可動枠から外れることがないようにしている。
【０００４】
ところで、最近は、加熱調理器の高機能化に伴い、操作盤の大型化が要求されている。ここで、操作盤の横幅は限られるため、操作盤の大型化のためには、操作盤の奥行き寸法を大きくすることが必要になる。然し、操作盤の奥行き寸法を大きくすると、可動枠の没入位置で操作盤の後端の位置がかなり低くなって、操作盤の後端が電池ケースに干渉してしまう。この場合、収納ケースの下部前寄り部分に横方向に長手の電池ケースを設置すれば、電池ケースに操作盤の後端が干渉することを回避できる。
【０００５】
但し、この場合には、収納ケースの下部前寄り部分が電池ケースで占められて、ねじりコイルバネのコイル部を収納ケースの下部前寄り部分に配置できなくなる。そのため、ねじりコイルバネの向きを変えて、コイル部を可動枠より後方に位置させることが考えられる。この場合、収納ケースにコイル部を横方向両側から挟むガイド板を設けることは、可動枠がガイド板に干渉してしまうため、不可能である。その結果、可動枠の出没動作中にコイル部が傾いて、ねじりコイルバネの両端のアーム部が収納ケースや可動枠から外れ、可動枠を突出位置側に付勢できなくなってしまうことがある。
【先行技術文献】
【特許文献】
【０００６】
【特許文献１】特開２００４−２６３９０３号公報
【発明の概要】
【発明が解決しようとする課題】
【０００７】
本発明は、以上の点に鑑み、付勢手段たるねじりコイルバネのコイル部を収納ケースの下部前寄りの部分に配置できなくても、可動枠を突出位置側に確実に付勢できるようにした加熱調理器用操作装置を提供することをその課題としている。
【課題を解決するための手段】
【０００８】
上記課題を解決するために、本発明は、加熱調理器の器体内の前部に設けられる収納ケースに、収納ケースの前端下部に設けられた支軸を支点にして、器体前面の前方に突出する突出位置と、収納ケースに収納される没入位置とに揺動自在に支持される可動枠を備え、可動枠の上面に操作盤を固定して、可動枠の突出位置への揺動で操作盤が器体前面の前方に露出するようにした加熱調理器用操作装置であって、可動枠を突出位置側に付勢する付勢手段と、可動枠を没入位置に係止すると共に可動枠を没入位置から押し操作することで係止を解除するプッシュプッシュ式の係止機構とを備えるものにおいて、収納ケースの上部又は下部に、横長の軸部で揺動自在に軸支されるレバーを備え、可動枠に、レバーが当接する押圧部が設けられ、押圧部に対するレバーの当接箇所はレバーの揺動に伴いレバーの長手方向に変位自在であって、レバーの前方への揺動で可動枠が押圧部を介して押されて没入位置から突出位置に揺動されるようにし、付勢手段は、レバーを軸支する軸部に外挿されるコイル部を有し、レバーを前方に揺動するように付勢するねじりコイルバネで構成されることを特徴とする。
【０００９】
本発明によれば、ねじりコイルバネのコイル部が、レバーを軸支する軸部に外挿されるため、コイル部が傾いて、ねじりコイルバネがレバーから外れるようなことはない。従って、ねじりコイルバネのコイル部を収納ケースの下部前寄りの部分に配置できなくても、ねじりコイルバネによりレバーを前方に揺動するように付勢して、可動枠を突出位置側に確実に付勢することができる。
【図面の簡単な説明】
【００１０】
【図１】本発明の実施形態の操作装置を具備する加熱調理器の一例を示す斜視図。
【図２】実施形態の操作装置の可動枠が突出位置に存する状態の斜め前上方から見た斜視図。
【図３】実施形態の操作装置の可動枠が没入位置に存する状態の斜め後上方から見た斜視図。
【図４】（ａ）実施形態の操作装置の可動枠が没入位置に存する状態の切断側面図、（ｂ）実施形態の操作装置の可動枠が突出位置に存する状態の切断側面図。
【図５】（ａ）第２の実施形態の操作装置の可動枠が没入位置に存する状態の切断側面図、（ｂ）第２の実施形態の操作装置の可動枠が突出位置に存する状態の切断側面図。
【発明を実施するための形態】
【００１１】
図１に示す加熱調理器は、システムキッチンのカウンタトップに開設した開口に落とし込むようにして設置する器体１と、器体１の上面を覆う天板１１に開設した複数のバーナ用開口を通して天板１１上に突出する複数のコンロバーナ２と、器体１内に配置したグリルとを備えるビルトイン型のガスコンロである。器体前面の横方向中間部には、グリル前面のグリル扉３が配置され、グリル扉３の両側の器体前面の上半部に配置された前パネル１２には、コンロバーナ２やグリルに設けられたグリルバーナの点消火及び火力調節用の操作摘み４が配置されている。また、前パネル１２の下方位置で前方に出没自在な可動枠５が設けられている。
【００１２】
図２〜図４を参照して、可動枠５は、器体１内の下部前部に設けられる収納ケース６に、収納ケース６の前端下部に設けられた支軸６１を支点にして、器体前面の前方に突出する突出位置（図２、図４（ｂ）に示す位置）と、収納ケース６に収納される没入位置（図３、図４（ａ）に示す位置）とに揺動自在に支持されるようにしている。可動枠５は、左右両側の側板部５１と上板部５２とを有する樹脂成形体と、この樹脂成形体の前面に支軸６１を支点にして開閉自在に取付けられる前板部５３とで構成される。上板部５２の上面には、加熱温度や加熱時間等を設定する各種操作スイッチ５４ａ及び表示部５４ｂを有する操作盤５４が固定されており、可動枠５の突出位置への揺動で操作盤５４が器体前面の前方に露出して、操作盤５４の操作が可能になるようにしている。
【００１３】
収納ケース６は、上板部６２と左右両側の側板部６３と底板部６４と前端の額縁状のフランジ部６５とを有する樹脂成形品で構成されており、フランジ部６５の下端部前面に支軸６１が設けられている。また、底板部６４上には電池ケース６６が設けられ、可動枠５の前板部５３を開いた状態で電池ケース６６に乾電池を出し入れできるようにしている。ここで、電池ケース６６が前後方向に長手であると、操作盤５４の奥行き寸法が大きく、可動枠５の上板部５２の奥行き寸法も大きくする場合、可動枠５を没入位置に揺動させる際に、上板部５２の後端部が電池ケース６６に干渉してしまう。そこで、本実施形態では、底板部６４上の前部に、横方向に長手の電池ケース６６を設け、上板部５２後端部の電池ケース６６への干渉を生ずることなく可動枠５を没入位置に揺動させることができるようにしている。
【００１４】
また、可動枠５を突出位置側に付勢する後述する付勢手段と、可動枠５を没入位置に係止すると共に可動枠５を没入位置から押し操作することで係止を解除するプッシュプッシュ式の係止機構７と、付勢手段の付勢力による可動枠５の移動速度を減速する減速手段８とを備えている。
【００１５】
係止機構７は、可動枠５の上板部５２の後端部から後方に突出する爪片７１と、収納ケース６の下部後部に設けられた、爪片７１が挿入可能な係止ユニット７２とで構成されている。減速手段８は、収納ケース６の一側の側板部６３に形成した、支軸６１と同心の円弧状のラック８１と、可動枠５の一側の側板部５１に取付けた、ラック８１に噛合するピニオン８２ａを有するダンパ８２とで構成される。ダンパ８２は、その内部に封入した高粘性オイルによってピニオン８２ａに回転負荷を与えるように構成されている。
【００１６】
付勢手段は、ねじりコイルバネ９で構成される。但し、従来例の如く収納ケース６の下部前寄り部分にねじりコイルバネ９のコイル部９ａを配置することは、収納ケース６の底板部６４上の前部に横長の電池ケース６６を配置するため、不可能である。
【００１７】
そこで、本実施形態では、収納ケース６の上部後部に、横長の軸部９２で揺動自在に軸支されるレバー９１を設けている。軸部９２は、収納ケース６の上板部６２の下面後部に設けた垂下片６７から横方向に突出する内軸９２ａと、レバー９１の端部に突設した、内軸９２ａに外挿される筒状の外軸９２ｂとで構成されている。また、可動枠５の上板部５２の後部に垂設したＬ字状の突片５５の後端部に、レバー９１が当接する横長のピン状の押圧部５６を突設している。押圧部５６に対するレバー９１の当接箇所は、レバー９１の揺動に伴いレバー９１の長手方向に変位自在であり、レバー９１を図４（ａ）に示す位置から図４（ｂ）に示す位置まで前方に揺動させることで、可動枠５が押圧部５６を介して押されて没入位置から突出位置に揺動されるようにしている。
【００１８】
ここで、ねじりコイルバネ９のコイル部９ａは、レバー９１を軸支する軸部９２に外挿されている。コイル部９ａから延出されるねじりコイルバネ９の一端のアーム部９ｂは、レバー９１の一側の折曲げ縁９１ａに形成した係合孔９１ｂに係止され、コイル部９ａから延出されるねじりコイルバネ９の他端のアーム部９ｃは、収納ケース６の上板部６２の下面に当接している。そして、レバー９１をねじりコイルバネ９により前方に揺動するように付勢している。
【００１９】
このようにねじりコイルバネ９のコイル部９ａを軸部９２に外挿すれば、コイル部９ａが傾いて、ねじりコイルバネ９のアーム部９ｂがレバー９１から外れるようなことはない。従って、ねじりコイルバネ９のコイル部９ａを収納ケース６の下部前寄りの部分に配置できなくても、ねじりコイルバネ９によりレバー９１を前方に揺動するように付勢して、可動枠５を突出位置側に確実に付勢することができる。
【００２０】
次に、図５に示す第２の実施形態について説明する。この実施形態の基本的な構造は、上記実施形態のものと特に異ならす、上記実施形態と同様の部材、部位に上記と同一の符号を付している。第２の実施形態の上記実施形態との相違点は、レバー９１を収納ケース６の下部の前後方向中間部に横長の軸部９２で揺動自在に軸支したことである。このものでも、レバー９１を図５（ａ）に示す位置から図５（ｂ）に示す位置まで前方に揺動させることで、可動枠５が押圧部５６を介して押されて没入位置から突出位置に揺動される。
【００２１】
また、ねじりコイルバネ９のコイル部９ａを軸部９２に外挿し、更に、ねじりコイルバネ９の一端のアーム部９ｂをレバー９１の一側の折曲げ縁９１ａに形成した係合孔９１ｂに係止すると共に、ねじりコイルバネ９の他端のアーム部９ｃを収納ケース６の底板部６４の上面に当接させて、レバー９１をねじりコイルバネ９により前方に揺動するように付勢している。
【００２２】
第２の実施形態でも、上記実施形態と同様に、ねじりコイルバネ９のコイル部９ａが傾いて、ねじりコイルバネ９のアーム部９ｂがレバー９１から外れるようなことはなく、ねじりコイルバネ９によりレバー９１を介して可動枠５を突出位置側に確実に付勢することができる。
【００２３】
以上、本発明の実施形態について図面を参照して説明したが、本発明はこれに限定されない。例えば、レバー９１にその長手方向に長手の長孔を形成して、この長孔に押圧部５６を挿入することも可能である。また、上記実施形態では、収納ケース６の底板部６４上の前部に横長の電池ケース６６が設けられているが、このような電池ケースを備えない操作装置にも、また、熱源として電磁誘導コイルや電気ヒータを用いるガスコンロ以外の加熱調理器用の操作装置にも同様に本発明を適用できる。
【符号の説明】
【００２４】
１…器体、５…可動枠、５４…操作盤、５６…押圧部、６…収納ケース、６１…支軸、７…係止機構、９…ねじりコイルバネ、９ａ…コイル部、９１…レバー、９２…軸部。
【図１】
2017015378.tif 000003
【図２】
2017015378.tif 000004
【図３】
2017015378.tif 000005
【図４】
2017015378.tif 000006
【図５】
2017015378.tif 000007